(57)【要約】【課題】器具本体の小型化を図りつつ、放熱性能を向上させることが可能な照明器具を提供する。【解決手段】光源１１を配置した光源部１２と；光源を点灯する電源回路１３ａを有する電源部１３と；電源ケーブル用の端子部１４ｂ、１４ｃ、１４ｄを有し、電源部に電源を供給する電源端子台１４と；一端部に設けられた光源部を配設する支持部２０ｃ、他端部に設けられた電源端子台を配設する取付部２０ｅ、この取付部および側壁により構成され、当該側壁に開口部２０ｊ、２０ｊが設けられてなる凹部２０ｉ、および内部に形成された電源部を収容する空間部２０ｆを有する器具本体２０と；を具備する照明器具１０を構成する。【選択図】        図２
2008186776.tif 000002
【特許請求の範囲】
【請求項１】
光源を配置した光源部と；
光源を点灯する電源回路を有する電源部と；
電源ケーブル用の端子部を有し、電源部に電源を供給する電源端子台と；
一端部に設けられた光源部を配設する支持部、他端部に設けられた電源端子台を配設する取付部、この取付部および側壁により構成され、当該側壁に開口部が設けられてなる凹部、および内部に形成された電源部を収容する空間部を有する器具本体と；
を具備することを特徴とする照明器具。
【請求項２】
発光ダイオードからなる光源および反射体を配置した光源部と；
光源を点灯する電源回路を有する電源部と；
電源ケーブル用の端子部を有し、電源部に電源を供給する電源端子台と；
一端部に設けられた光源部を配設する支持部、他端部に設けられた電源端子台を配設する取付部、この取付部および側壁により構成され、当該側壁に開口部が設けられてなる凹部、および内部に形成された電源部を収容する空間部を有する器具本体と；
を具備することを特徴とする照明器具。
【請求項３】
前記凹部の側壁の高さは、電源端子台のリリースボタンと同一若しくは高く構成したことを特徴とする請求項１または２に記載の照明器具。
【請求項４】
前記凹部は、端子部に対向して開口部が設けられたことを特徴とする請求項１ないし３いずれか一に記載の照明器具。
【請求項５】
前記器具本体は、透光性のカバー部材および被設置面に設置するためのバネ材からなる支持具を有して構成されたことを特徴とする請求項１ないし４いずれか一に記載の照明器具。
【発明の詳細な説明】
【技術分野】
【０００１】
本発明は、発光ダイオード等を光源とした照明器具に関する。
【背景技術】
【０００２】
近年、光源として発光ダイオードを用いた照明器具が開発されている（例えば、特許文献１参照）。
【０００３】
発光ダイオードは直流で駆動されるために別途の電源が必要であり、また器具としては小型、薄型化が要求されることから、特許文献１にも示されるように、電源部が別置きに構成されている。
【０００４】
また、電源部を内蔵した照明器具としては、ダウンライト形の照明器具が開発されている（例えば、特許文献２参照）。
【特許文献１】特開２００５−１００７９９号公報
【特許文献２】特開２００４−１７９０４８号公報
【発明の開示】
【発明が解決しようとする課題】
【０００５】
しかしながら、特許文献１に示される照明器具は、電源部が別置きに構成されているため、電源部を設置するためのスペースが必要となり、また設置工事などが煩雑になり、器具本体に対して電源部を一体化することが要望されている。
【０００６】
また、特許文献２に示されるダウンライト形の照明器具においては、器具本体内に点灯回路や端子台が組み込まれ電源部が一体化されている。
【０００７】
一方、発光ダイオードから発生する熱を放熱するために、反射板を放熱性の優れたアルミニウムで構成し、かつ裏面に複数の放熱フィンを一体に形成してヒートシンクとしての機能を持たせている。
【０００８】
しかし、近年、発光ダイオードがますます高輝度、高出力化され、発生する熱がますます増大していることから、この種のヒートシンク方式では放熱面積が不足し、放熱フィンの大きさや反射板自体の板厚や大きさ等を大きくしなければならない。
【０００９】
このため、ヒートシンク裏側が狭くなり、電源部を収容するスペースが確保できなくなり、電源を別置きの形態にせざるを得ない状況になってしまう。
【００１０】
また、電源部を収容したとしても、器具全体が大型化してしまう問題が生じる。
【００１１】
このため、この種、発光ダイオード等を光源とした照明器具においては、電源部を一体化すると共に、放熱性能をも向上させ、かつ小型化も図ることが可能な照明器具を如何に実現するかが重要な課題となっている。
【００１２】
本発明は、器具本体の小型化を図りつつ、放熱性能を向上させることが可能な照明器具を提供しようとするものである。
【課題を解決するための手段】
【００１３】
請求項１に記載の照明器具の発明は、光源を配置した光源部と；光源を点灯する電源回路を有する電源部と；電源ケーブル用の端子部を有し、電源部に電源を供給する電源端子台と；一端部に設けられた光源部を配設する支持部、他端部に設けられた電源端子台を配設する取付部、この取付部および側壁により構成され、当該側壁に開口部が設けられてなる凹部、および内部に形成された電源部を収容する空間部を有する器具本体と；を具備することを特徴とする。
【００１４】
本発明によれば、一端部に設けられた光源部を配設する支持部、他端部に設けられた電源端子台を配設する取付部、この取付部および側壁により構成され、当該側壁に開口部が設けられてなる凹部、および内部に形成された電源部を収容する空間部を有する器具本体により、電源部を一体化すると共に、放熱性能を向上させ、かつ小型化を図ることが可能な照明器具が構成される。
【００１５】
光源は、小型の光源で、例えば発光ダイオードや半導体レーザなどの半導体発光素子、小型の電球やハロゲン電球等の白熱電球等でもよい。特に半導体発光素子の場合には、放熱効果が得られるので好適である。
【００１６】
光源部は、例えば、円盤状の配線基板に、光源を円形状に1列または同心状に複数列配置し、全体として、平面視で円形、矩形、多角形等をなした形状の発光面を構成するようにしてもよい。
【００１７】
光源部には、反射体やレンズ体等の光制御部材を設けるようにしてもよい。
【００１８】
電源部は、例えば、円盤状の配線基板に、電源回路を構成する電気部品を実装し器具本体内部に収容しても、さらには電気絶縁性を有する合成樹脂、例えば、ＰＢＴ（ポリブチレンテレフタレート）等で構成した電源ボックス内に配線基板を収納し、この電源ボックスを器具本体内部に収容して構成してもよい。
【００１９】
器具本体は、光源部の発光面の形状に合わせた、例えば、丸形、角形状等のダウンライト形の照明器具を構成するようにしてもよい。
【００２０】
器具本体の凹部は、電源端子台の一部または全てを収納して配設しつつ、凹部の側壁が器具本体の放熱面積を確保するような全ての形態が許容される。
【００２１】
凹部の開口部は、電源端子台の端子部に対向して設けることが好ましいが、端子部に対向せずに離間して設けてもよい。
【００２２】
また、個数は1個の開口部でも２個以上の開口部でもよく、電源ケーブル等の引き込みのためのガイド機能を発揮しつつ、凹部に外気を流通させるための全ての形態が許容される。
【００２３】
また、器具本体の材質は、熱伝導性の良好なアルミニウム（Ａｌ）、銅（Ｃｕ）、鉄（Ｆｅ）などで構成しても、さらには高熱伝導樹脂等の合成樹脂で構成してもよく、光源の熱を放熱させるための全ての材質が許容される。
【００２４】
請求項２に記載の照明器具の発明は、発光ダイオードからなる光源および反射体を配置した光源部と；光源を点灯する電源回路を有する電源部と；電源ケーブル用の端子部を有し、電源部に電源を供給する電源端子台と；一端部に設けられた光源部を配設する支持部、他端部に設けられた電源端子台を配設する取付部、この取付部および側壁により構成され、当該側壁に開口部が設けられてなる凹部、および内部に形成された電源部を収容する空間部を有する器具本体と；を具備することを特徴とする。
【００２５】
反射体は、耐光性および電気絶縁性を有する白色の合成樹脂、例えば、ＰＢＴ（ポリブチレンテレフタレート）等で構成しても、アルミニウム等の金属で構成してもよい。
【００２６】
請求項３に記載の発明は、請求項１または２に記載の照明器具において、前記凹部の側壁の高さは、電源端子台のリリースボタンと同一若しくは高く構成したことを特徴とする。
【００２７】
凹部の側壁は、筒体形状等をなす器具本体の他端部を一体に延長して形成しても、別体の側壁をビス等の手段で取り付けて構成してもよい。
【００２８】
請求項４に記載の発明は、請求項１ないし３いずれか一に記載の照明器具において、前記凹部は、端子部に対向して開口部が設けられたことを特徴とする。
【００２９】
請求項５に記載の発明は、請求項１ないし４いずれか一に記載の照明器具において、前記器具本体は、透光性のカバー部材および被設置面に設置するためのバネ材からなる支持具を有して構成されたことを特徴とする。
【００３０】
透光性のカバー部材は、透明または乳白色の半透明なアクリル樹脂やポリカーボネート等で構成しても、着色したものでも、さらに材質としては合成樹脂に限らず、透光性を有する強化ガラスで構成してもよい。
【００３１】
透光性のカバー部材は、例えば、ダウンライトにおける化粧枠に設けるようにしてもよい。
【発明の効果】
【００３２】
請求項１の発明によれば、一端部に設けられた光源部を配設する支持部、他端部に設けられた電源端子台を配設する取付部、この取付部および側壁により構成され、当該側壁に開口部が設けられてなる凹部、および内部に形成された電源部を収容する空間部を有する器具本体により、電源部を一体化すると共に、放熱性能を向上させ、かつ小型化を図ることが可能な照明器具を提供することができる。
【００３３】
特に、表面積の大きな器具本体自体に放熱作用を持たせることが可能となるので、別途のヒートシンクが不要となって空間部が確保され、電源部のための格別なスペースを形成することなく電源部を収容して一体化できるので、器具本体全体が大型化することなく小型化を図った照明器具を提供することができる。
【００３４】
請求項２の発明によれば、光源部の光源は、発光ダイオードで構成したので、器具本体の小型化を、より一層図ることが可能な照明器具を提供することができる。
【００３５】
請求項３の発明によれば、器具本体の凹部の側壁の高さは、電源端子台のリリースボタンと同一若しくは高く構成したことにより、施工時等に器具本体の上部に万一力がかかったとしても高い凹部の側壁がストッパーになり、不用意に電源ケーブル等が離脱することがなく、安全な照明器具を提供することができる。
【００３６】
請求項４の発明によれば、凹部は、端子部に対向して開口部が設けられたので、電源ケーブル等の引き込みのためのガイド機能を発揮しつつ、凹部に外気を流通させることができ、一層効果的に放熱させることができる。
【００３７】
請求項５の発明によれば、透光性のカバー部材および被設置面に設置するためのバネ材からなる支持具を有して構成したので、電源部を一体化すると共に、放熱性能を向上させ、かつ小型化を図ることが可能なダウンライト形の照明器具を提供することができる。
【発明を実施するための最良の形態】
【００３８】
以下、本発明に係る照明器具の一実施形態について説明する。
【実施例１】
【００３９】
本実施例の照明器具は、高輝度、高出力の複数個の発光ダイオードを用い、例えば、一般家屋におけるダウンライトとして構成したものである。
【００４０】
１０は照明器具で、複数の光源１１、光源を配置した光源部１２、光源を点灯する電源部１３、電源部に電源を供給する電源端子台１４、一端部に光源部１２を他端部に電源端子台１４を配設し、内部に電源部１３を収容する器具本体２０で構成する。
【００４１】
光源は、発光ダイオード１１（以下「ＬＥＤ」と称す）で構成し、ＬＥＤ１１は、同一色、本実施形態では高輝度、高出力の白色のＬＥＤが４個用意され、この各ＬＥＤは、一方向、すなわちＬＥＤの光軸方向に光線が主として放射される同種性能のもので構成する。
【００４２】
光源部１２は、上記４個のＬＥＤ１１と反射体１２ａからなり、４個のＬＥＤ１１は、直径が約６０ｍｍの円盤状の配線基板１２ｂ上に同心円状に等間隔に配置して実装する。配線基板１２ｂは、耐熱性で電気絶縁性を有するプリント基板で構成する。
【００４３】
反射体１２ａは、耐光性および電気絶縁性を有する白色の合成樹脂、例えば、ＰＢＴ（ポリブチレンテレフタレート）等で構成され、配線基板１２ｂの直径よりやや大なる直径寸法を有する円板形状に形成され、一面に上記配線基板１２ｂが嵌合する凹部１２ｃを形成する。
【００４４】
反射体１２ａには、上記４個のＬＥＤ１１に、それぞれ対向した位置に回転放物面状をなす反射面１２ｄを形成した４個のすり鉢状の貫通孔１２ｅを形成する。
【００４５】
上記配線基板１２ｂに実装された各ＬＥＤ１１に、反射体の貫通孔１２ｅの下端を対向させて配置し、配線基板１２ｂを反射体１２ａの凹部１２ｃに嵌合して組み立て、全体として平面視で略円形状の発光面を有する光源部１２を構成する。
【００４６】
電源部１３は、上記の各ＬＥＤ１１を点灯する電源回路１３ａを実装した配線基板１３ｂからなり、電源回路は、図７に示すように、商用電源に接続される入力端子１３ｃ、１３ｃに、サージ吸収用のバリスタ１３ｄを介してダイオードブリッジからなる全波整流器１３ｅを並列に接続して構成する。１３ｆは電流ヒューズ、１３ｇ、１３ｇは出力端子である。
【００４７】
配線基板１３ｂは、円盤状のプリント配線基板からなり、その表裏両面に電源回路１３ａを構成する電気部品が実装されている。
【００４８】
上記に構成した電源回路の電気部品の内、バリスタ１３ｄを配線基板１３ｂの裏面側に配置し、他の電気部品は表面側に配置する。
【００４９】
電源端子台１４は、電源部１３に商用電源を供給するための端子台で、難燃性で電気絶縁性を有する合成樹脂で構成されたボックス１４ａの両面に電源ケーブル用の端子部となる差込口１４ｂ、送りケーブル用の端子部となる差込口１４ｃおよび器具内引込線用の端子部となる差込口１４ｄを有し、さらにボックス上面に電源線および送り線を離脱させるためのリリースボタン１４ｅを有する。
【００５０】
器具本体２０は、光源部１２および電源端子台１４を配設し、内部に電源部１３を収容するための両端が開放した円筒体をなす熱伝導性の良好なアルミニウムで構成する。
【００５１】
器具本体２０は、アルミニウムのダイカスト製で、両端に開口２０ａ、２０ｂを有する断面略円形の円筒状のケース部材として構成し、円筒体内部の一端部の開口２０ａ側に位置して、光源部１２を配設するための支持部となる仕切り板２０ｃを一体に形成し、開口２０ａと仕切り板２０ｃとの間に光源部１３を収納する収納部２０ｄを形成する。
【００５２】
さらに、他端部側の開口２０ｂは、別個に構成した端板２０ｅで閉塞する。端板２０ｅは、本発明の電源端子台１４を配設するための取付部となるもので、器具本体と同様にアルミニウムのダイカスト製で、皿状をなす円形の蓋体として構成し、他端部側の開口２０ｂに嵌合し、径方向に対向する側面から２本のネジを使って固定される。
【００５３】
これにより、仕切り板２０ｃと端板２０ｅとの間に電源部１３を収容する空間部２０ｆが形成される。
【００５４】
図２中２０ｇは、仕切り板２０ｃの空間部２０ｆ側に面して一体に形成された電源部１３の配線基板１３ｂを支持するための支持段部である。
【００５５】
さらに、器具本体２０は、他端部側の開口２０ｂを筒体の軸線方向に一体に延長して側壁２０ｈを形成し、この側壁および電源端子台１４を配設するための取付部となる端板２０ｅの上面により凹部２０ｉを形成する。器具本体２０は、この側壁２０ｈを延長形成することにより放熱面積を増大している。
【００５６】
凹部２０ｉは、上記電源端子台１４を収納し、電源端子台を外力から保護しつつ支持するための凹部で、凹部を形成する側壁２０ｈには、外部に連通する開口部２０ｊが対向した位置に一対設けられる。
【００５７】
この開口部２０ｊ、２０ｊは、電源端子台１４の端子部となる電源ケーブル用の差込口１４ｂおよび送りケーブル用の差込口１４ｃと、器具内引込線用の差込口１４ｄにそれぞれ対向して設けられ、後述する電源ケーブルａや送りケーブルｂ等を各差込口に引き込むためのガイドを行い、かつ凹部２０ｉ内に外気を流通させる。
【００５８】
なお、凹部の側壁２０ｈの高さｈ１は、凹部２０ｉに電源端子台１４を支持した際のリリースボタン１４ｅの高さｈ２より若干、本実施例では約２．５ｍｍ高くなるように形成する。（図５）
上記に構成された器具本体２０に、光源部１２および電源端子台１４が配設され、内部に電源部１３が収容される。
【００５９】
すなわち、上記のように配線基板１２ｂと反射体１２ａを組み立てて構成した円板状の光源部１２を、配線基板１２ｂが仕切り板２０ｃ側に位置するようにして、器具本体２０の一端部側に形成した収納部２０ｄに嵌合し、中心部をネジで締め付けて固定する。これにより、光源部１２の配線基板１２ｂが仕切り板２０ｃに強固に密着して固定される。
【００６０】
さらに、仕切り板２０ｃと端板２０ｅとの間に形成された空間部２０ｆに、電源部１３の配線基板１３ｂを挿入し、配線基板１３ｂの周縁部を支持段部２０ｇに当接してネジで固定する。
【００６１】
この際、配線基板１３ｂの裏面に実装されたバリスタ１３ｄが、仕切り板２０ｃ側に面するように位置させて収容する。さらに支持段部２０ｇによって配線基板１３ｂと仕切り板２０ｃとの間に所定寸法の空間部Ｓが形成され、アルミニウムからなる仕切り板２０ｃと配線基板１３ｂ間の電気絶縁距離が確保される。
【００６２】
上記のように、器具本体２０に収容された電源部１３の配線基板１３ｂと光源部１２の配線基板１２ｂは、リード線３０により電源回路１３ａの出力端子１３ｇ、１３ｇとＬＥＤの入力端子が仕切り板２０ｃに形成された挿通孔２０ｋを介して接続される。
【００６３】
さらに、器具本体２０の端板２０ｅの上面に電源端子台１４を載置してネジで固定する。さらに電源端子台１４を固定した端板２０ｅを器具本体の他端部側の開口２０ｂに、電源端子台１４が外方に面するように位置させて嵌合し、径方向に対向する側面から２本のネジを使って固定する。
【００６４】
これにより、器具本体２０の他端部に形成した凹部２０ｉに、電源端子台１４のリリースボタン１４ｅが凹部の側壁２０ｈより、約２．５ｍｍ低くなった状態で配設され支持される。
【００６５】
なお、凹部２０ｉの側壁２０ｈに形成した開口部２０ｊ、２０ｊが、電源ケーブル等を電源端子台１４の各差込口に引き込むためのガイドが行えるように、電源端子台１４両面の端子部である差込口１４ｂおよび１４ｃと１４ｄが、それぞれの開口部２０ｊ、２０ｊに対向して位置するようにして固定する。
【００６６】
上記のように、器具本体２０の凹部２０ｉに配設され支持された電源端子台１４と電源部１３の配線基板１３ｂは、器具内引込み線３１により電源端子台１４の差込口１４ｄ、１４ｄと電源回路１３ａの入力端子１３ｃ、１３ｃが端板２０ｅに形成された挿通孔２０ｍを介して接続される。この際、器具内引込み線３１が凹部２０ｉの一方の開口部２０ｊにガイドされてループ状に曲げられて配線される。（図５）
２１は、器具本体２０一端部の開口２０ａに設けられた化粧枠で、リング状をなし、リングの断面が略Ｌ字形をなす合成樹脂で構成され、Ｌ字の垂直内面を器具本体２０の開口２０ａ外面に嵌め込みリベット等で固定する。
【００６７】
さらに、化粧枠２１のリング内面に透明なアクリル樹脂で構成したカバー部材２２を嵌め込み固定する。
【００６８】
２３は支持具で、ステンレスの板材をプレス加工して形成した略Ｌ字形の２枚の板バネからなり、Ｌ字の垂直部分を器具本体２０の外側面に、径方向に対向して位置させてネジで固定する。
【００６９】
この板バネからなる支持具は、内方に撓まされた状態で器具本体２０と共に、天井等の被設置面Ａの設置孔４０に挿入され、挿入後は自らの弾性により元の状態に復帰して設置孔４０の内面に圧接し、その圧接力により器具本体２０を天井Ａに固定する。なお、取り外す場合には、上記と逆の操作を行えばよい。
【００７０】
上記により、光源を４個のＬＥＤ１１で構成し、一端部に光源部１２を他端部に凹部２０ｉを形成して電源端子台１４を配設し、内部に電源部１３を収容し、電源部１３を器具本体２０に一体化した、高さ寸法Ｈが約８４ｍｍ、化粧枠の直径寸法Ｄ１が約８８ｍｍ、器具本体の直径寸法Ｄ２が約６５ｍｍ、消費電力５ＷのＡＣ１００Ｖで駆動する小型のダウンライト形の照明器具１０が構成される。
【００７１】
上記構成の照明器具１０は、被設置面である天井Ａに単体若しくは複数個を送り用ケーブルにより接続させて使用する。例えば、一般家屋における廊下の天井灯として２台設置する場合の施工手順につき説明する。
【００７２】
先ず、図８に示すように、天井Ａの所定の位置に円形の設置孔４０を２個形成する。器具本体２０は小型であるので小さな設置孔で済み施工が容易となる。
【００７３】
設置孔４０の直径寸法Ｄ３は、Ｄ３＝Ｄ１＜Ｄ２で、本実施例では約７５ｍｍの円形の貫通孔を形成する。次に、予め商用電源に接続して配線された電源ケーブルａを器具本体２０の電源端子台１４の電源ケーブル用の差込口１４ｂ、１４ｂに挿入して接続する。
【００７４】
同様に、予め配線された２台目の器具用の送り用ケーブルｂを送りケーブル用の差込口１４ｃ、１４ｃに挿入して接続する。
【００７５】
各ケーブルａ、ｂを接続した状態で、器具本体２０の板バネからなる支持具２３を手で内方に撓ませて器具本体と共に設置孔４０に挿入し、化粧枠２１のＬ字リングの上面を天井面Ａに当接させ位置を決める。
【００７６】
位置が決まった状態で支持具２３から手を離す。これにより板バネが自らの弾性により元の状態に復帰して設置孔４０の内面に圧接し、その圧接力により器具本体２０が天井Ａに固定される。設置孔４０の切り口は化粧枠２１によって綺麗に覆われる。
【００７７】
この際、例えば、天井裏に突出した梁、断熱材、空調用やケーブル用のダクト等に器具本体２０の上面が当たっても、電源端子台１４のリリースボタン１４ｅが凹部の側壁２０ｈより、約２．５ｍｍ低くなった状態で支持されているので、凹部側壁２０ｈがこれらの突出物に対するストッパーとなり、不用意にリリースボタン１４ｅが押され電源ケーブル等が外れたりすることがない。
【００７８】
因みに、器具本体に凹部がなく、上面にリリースボタンが突出して支持された場合には、設置孔の下方から器具本体を挿入した際に、これらの突出物にリリースボタンに当たり、押し込まれて電源ケーブル等の係合を解除して接続を離脱させてしまう恐れがある。
【００７９】
次に、２台目の器具本体２０´の電源ケーブル用の差込口に、１台目の器具本体２０に一端を接続した送り用ケーブルｂの他端を挿入し接続する。
【００８０】
送り用ケーブルｂを接続した状態で、上記１台目と同様にして天井の設置孔４０に挿入し設置が完了する。
【００８１】
上記に設置された２台の照明器具１０を点灯すると、各ＬＥＤ１１から出射された光が反射体１２ａの回転放物面からなる反射面１２ｄで反射して略円形状に下向きに広がって放射され、廊下の長手方向に沿った所望の照明を行う。
【００８２】
また、各ＬＥＤ１１から発生する熱は、配線基板１２ｂから密着して固定された器具本体２０の仕切り板２０ｃに直接伝達され、さらに表面積の大きな本体側壁にも直接伝達されて外周面から効果的に外部に放熱され、同時に、器具本体２０の凹部２０ｉを構成する側壁２０ｈからも放熱される。
【００８３】
また、側壁２０ｈの一方の開口部２０ｊから他方の開口部２０ｊに対して外気の流れが生じ、凹部２０ｉ内面側も冷却され、器具本体２０全体が効果的に冷却される。
【００８４】
これらにより、各ＬＥＤ１１から発生する熱を十分効果的に放熱させることができ光束が低下することなく、所定照度の明るい照明が行える。
【００８５】
なお、電源部１３の電気部品から発生する熱も器具本体２０から直接放熱される。
【００８６】
長い廊下に沿って、さらに照明器具を設置する場合には、２台目の器具本体２０´における電源端子台の送りケーブル用差込口を使用して、必要な台数の照明器具を順次連続させて設置する。
【００８７】
この場合も、天井に設置されたそれぞれの照明器具は、上述と同様に、ＬＥＤから発生した熱は器具本体自体により効果的に放熱され、光束が低下することなく所定照度の明るい照明が行える。
【００８８】
以上、本実施例によれば、一端部に光源部１２を他端部に凹部２０ｉを形成して電源端子台１４を配設し、内部に電源部１３を収容する筒体でかつ熱伝導性の良好なアルミニウムで構成した器具本体２０により、器具本体は直接外部に露出し、表面積の大きな器具本体自体にＬＥＤの放熱作用を兼用させることができるので、各ＬＥＤ１１から発生する熱は、配線基板１２ｂから密着して固定された器具本体の仕切り板２０ｃに直接伝達され、さらに本体側壁にも直接伝達されて外周面から効果的に外部に放熱される。
【００８９】
同時に、器具本体２０の他端部には凹部２０ｉが形成され、凹部を構成する側壁２０ｈが一体に上方に突出し延長して形成されている。
【００９０】
このため、外気に接する面積をさらに確保することができ、同時に側壁２０ｈには電源ケーブル等のガイド用に対向した一対の開口部２０ｊ、２０ｊが形成されていることから、一方の開口部２０ｊから他方の開口部２０ｊに対して外気の流れが常に生じ、凹部２０ｉ内面側、すなわち、凹部の側壁２０ｈの内面、端板２０ｅの上面、さらには電源端子台１４も効果的に冷却され、器具本体２０全体がより一層効果的に冷却される。
【００９１】
さらに、器具本体２０の外周面にステンレスの板材からなる２枚の板バネからなる支持具２３、２３が固定されているので、一種の放熱フィンとしての作用をなし一層効果的に放熱される。
【００９２】
これらにより、ＬＥＤから発生する熱を十分効果的に放熱させることができ光束が低下することなく、所定照度の明るい照明が行える。
【００９３】
同時に、器具本体自体に放熱作用を持たせたので、別途のヒートシンクが不要となってＬＥＤ裏面に空間部２０ｆが確保され、電源部のための格別なスペースを形成することなく電源部を収容して一体化できるので、器具本体全体が大型化することなく小型化を図った照明器具を提供することができる。
【００９４】
さらに、光源部の光源は、ＬＥＤで構成したので、器具本体の小型化を一層図ることができる。
【００９５】
これらの作用効果により、器具本体の小型化を図りつつ、放熱性能を向上させたダウンライト形の照明器具を提供することができる。
【００９６】
また、電源端子台１４のリリースボタン１４ｅが凹部側壁２０ｈより、低くなった状態で支持されているので、凹部側壁が突出物に対するストッパーとなり、不用意にリリースボタンが押されて電源ケーブル等が外れたりすることがなく、安全でかつ施工のし易いダウンライト形の照明器具を提供することができる。
【００９７】
また、凹部２０ｉの側壁２０ｈはＬＥＤ１１の放熱作用に寄与する開口部２０ｊ、２０ｊを形成したことにより、電源ケーブルや器具内引込み線のガイドとなって、より一層施工がし易くなり、ケーブル等のガイド機能を発揮しつつ放熱効果の優れたダウンライト形の照明器具を提供することができる。
【００９８】
また、光源部１２、電源部１３、電源端子台１４は、筒体をなす器具本体２０に対して、筒の軸方向に順次挿入し嵌合して組み立てていけばよく、構造も簡単で、かつ組み立て作業が容易なダウンライト形の照明器具を提供することができる。
【００９９】
また、電源部１３のバリスタ１３ｄが器具本体２０の仕切り板２０ｃ側に面するように位置して組み込まれている。このため万一の異常事態でバリスタが破損した場合でも、下方には強固なアルミニウムである器具本体の仕切り板２０ｃが存在し器具自体の破損が防止され、安全性を図った照明器具が提供できる。
【０１００】
以上、本実施形態においてＬＥＤ１１を円形状に1列配置した平面視で円形のダウンライト形の照明器具を構成したが、略正方形の配線基板上にＬＥＤを配置して角形和風のダウンライト形の照明器具を構成してもよい。
【０１０１】
各ＬＥＤ１１は白色ＬＥＤで構成したが、照明器具の用途に応じ、赤色（Ｒ）、緑色（Ｇ）、青色（Ｂ）等で発光するＬＥＤで構成してもよい。若しくはこれらを混合して、電球色、昼白色、昼光色等の光を発光させるようにしてもよい。
【０１０２】
器具本体２０の凹部２０ｉに一対の開口部２０ｊ、２０ｊを形成したが、図９に示すように側壁２０ｈが放熱フィン状になるように多数形成してもよい。
【０１０３】
光源部１２の配線基板１２ｂを器具本体２０の仕切り板２０ｃに直接密着して固定させたが、シリコーンシート等を介して固定させてもよい。
【０１０４】
本実施形態は、一般家屋用のダウンライト形の照明器具として構成したが、オフィス等の施設用、さらに大型の業務用等のダウンライト、さらに、例えば天井直付け形のスポットライト等、各種の照明器具として構成してもよい。
【０１０５】
以上、本発明の好適な実施形態を説明したが、本発明は上述の実施例に限定されることなく、本発明の要旨を逸脱しない範囲内において、種々の設計変更を行うことができる。
【図面の簡単な説明】
【０１０６】
【図１】本発明の一実施形態に係る照明器具の斜視図。
【図２】同じく照明器具の縦断面図。
【図３】同じく照明器具の上面図。
【図４】同じく照明器具の下面図。
【図５】同じく図３のＡ−Ａ線に沿う断面図。
【図６】同じく図２のＢ−Ｂ線に沿う断面図。
【図７】同じく照明器具の電源部における電源回路図。
【図８】同じく照明器具を天井面に設置した状態を断面して示す説明図。
【図９】同じく照明器具の変形例を示す斜視図。
【符号の説明】
【０１０７】
１０    照明器具
１１    光源
１２    光源部
１２ａ  反射体
１３    電源部
１３ａ  電源回路
１４    電源端子台
１４ｂ、１４ｃ、１４ｄ  端子部
１４ｅ  リリースボタン
２０    器具本体
２０ｃ  支持部
２０ｅ  取付部
２０ｆ  空間部
２０ｈ  側壁
２０ｉ  凹部
２０ｊ  開口部
２２    カバー部材
２３    支持具
Ａ    被設置面
【図１】
2008186776.tif 000003
【図２】
2008186776.tif 000004
【図３】
2008186776.tif 000005
【図４】
2008186776.tif 000006
【図５】
2008186776.tif 000007
【図６】
2008186776.tif 000008
【図７】
2008186776.tif 000009
【図８】
2008186776.tif 000010
【図９】
2008186776.tif 000011